(57)【要約】【課題】フレーム同期回路に関し、デシジョンフィードバック型トランスバーサル・イコライザを最適なタイミングで動作させて、等化能力を最適化する。【解決手段】受信復調した入力データと基準同期パターンとを現在のフレーム同期タイミングに対して±Ｎビットの範囲に於ける相関を求めるデータ相関器１と、このデータ相関器１の相関出力信号と判定閾値とを比較する比較器２と、この比較器２の前記現在のフレーム同期タイミングに対して±Ｎビットの範囲に於ける出力信号を複数フレーム周期にわたって積分又は移動平均した値の最大値が単一の場合に、このタイミングを次のフレーム同期タイミングとし、複数の場合は時間的に早い方の最大値に対応するタイミングを次のフレーム同期タイミングとして、デシジョンフィードバック型トランスバーサル・イコライザに於ける等化処理のタイミングとして制御する為の最適値選択回路４とを備えている。【選択図】      図１
2004289369.tif 000002
【特許請求の範囲】
【請求項１】
デシジョンフィードバック型トランスバーサル・イコライザを備えた受信装置に於けるフレーム同期回路に於いて、
現在のフレーム同期タイミングに対して±Ｎビットの範囲に於ける受信データと基準同期パターンとの相関を求めるデータ相関器と、
該データ相関器の相関出力信号と判定閾値とを比較する比較器と、
該比較器の前記現在のフレーム同期タイミングに対して±Ｎビットの範囲に於ける出力信号を複数フレーム周期にわたって積分した積分値の最大値が単一の場合は該最大値のタイミングを次のフレーム同期タイミングとし、複数の場合は時間的に早い方の最大値に対応するタイミングを次のフレーム同期タイミングとして、前記デシジョンフィードバック型トランスバーサル・イコライザへ前記受信データの入力タイミングを制御する為の最適値選択回路と
を備えたことを特徴とするフレーム同期回路。
【請求項２】
デシジョンフィードバック型トランスバーサル・イコライザを備えた受信装置に於けるフレーム同期回路に於いて、
現在のフレーム同期タイミングに対して±Ｎビットの範囲に於ける受信データと基準同期パターンとの相関を求めるデータ相関器と、
該データ相関器の相関出力信号と判定閾値とを比較する比較器と、
該比較器の前記現在のフレーム同期タイミングに対して±Ｎビットの範囲に於ける異なるタイミングの出力信号を、それぞれ複数フレーム周期にわたって移動平均値を求める複数の移動平均算出部と、
該複数の移動平均算出部による移動平均値の最大値が単一の場合に該最大値に対応するタイミングを次のフレーム同期タイミングとし、複数の場合は時間的に早い方の最大値に対応するタイミングを次のフレーム同期タイミングとして、前記デシジョンフィードバック型トランスバーサル・イコライザへ前記入力データの入力タイミングを制御する為の最適値選択回路と
を備えたことを特徴とするフレーム同期回路。
【請求項３】
デシジョンフィードバック型トランスバーサル・イコライザを備えた受信装置に於けるフレーム同期回路に於いて、
現在のフレーム同期タイミングに対して±Ｎビットの範囲に於ける受信データと基準同期パターンとの相関を求めるデータ相関器と、
該データ相関器の相関出力信号を前記現在のフレーム同期タイミングに対して±Ｎビットの範囲に於ける異なるタイミングについてそれぞれ積分する複数の積分器と、
該複数の積分器による積分値の最大値が単一の場合に、該最大値に対応するタイミングを次のフレーム同期タイミングとし、複数の場合に、時間的に早い方の最大値に対応するタイミングを次のフレーム同期タイミングとして、前記デシジョンフィードバック型トランスバーサル・イコライザへ前記入力データの入力タイミングを制御する為の最適値選択回路と
を備えたことを特徴とするフレーム同期回路。
【発明の詳細な説明】
【０００１】
【発明の属する技術分野】
本発明は、波形等化を行うデシジョンフィードバック型トランスバーサル・イコライザを有する受信装置に於けるフレーム同期回路に関する。
【０００２】
【従来の技術】
フレーム同期伝送システムに於いては、フレーム周期毎にフレーム同期ビット又は複数ビット構成のフレーム同期パターンを所定長のデータの先端に付加したフレームを送信し、受信側では、受信したフレームからフレーム同期ビット又はフレーム同期パターンを検出してフレーム同期をとることにより、データの受信処理を行うものである。
【０００３】
又移動体通信システムに於ける移動局は、移動中に於いても通信を行う為、ドプラー効果やマルチパスのフェージングの影響が大きく、主波，遅延波，先行波等の異なるタイミングで受信する電波に対して何れが主波であるかを区別することが困難である。そこで、受信電力が一番大きい受信波を主波と見做してフレーム同期をとる手段が一般的である。又マルチパスによる受信波をそれぞれ復調し、遅延補正して合成するレーク合成を行う構成も知られており、この場合、複数の復調器を用いることになるから、ハードウェア規模の増加及び消費電力の増加が問題となる。
【０００４】
図６は、従来のフレーム同期回路の要部を示すもので、５１はデータ相関器、５２は比較器、５３はフレームカウンタを示し、データ相関器５１は、図示を省略した復調器により受信信号を復調した入力データと基準同期パターンとの相関を求めるもので、その相関出力信号と判定閾値とを比較器５２に於いて比較し、判定閾値を超えた相関出力信号を受信フレームタイミング出力信号とし、又フレームカウンタ５３によりカウントして、連続して所定数以上のカウント内容となった時に、フレーム同期確立としてフレーム同期信号を出力する。
【０００５】
データ相関器５１は、例えば、図６に示すように、フレーム同期パターンのビット数に対応した構成のシフトレジスタ６１と排他的論理和回路６２とを含む構成を有するもので、図示の場合は４ビット構成のフレーム同期パターンの場合を示すが、例えば、８ビット構成のフレーム同期パターンの場合は、シフトレジスタ６１は入力データを８ビットシフトして並列に出力し、８個の排他的論理和回路６２に入力する構成となる。
【０００６】
そして、入力データと基準同期パターンとのビットが一致した時に、そのビットに対応する排他的論理和回路６２の出力信号は“０”となるから、この“０”の出力信号をカウントする。基準同期パターンと全ビットが一致すれば、カウント値は最大となる。そして、そのカウント値を図５に於ける比較器５２に入力し、判定閾値と比較する。例えば、図７に示すデータ相関器の場合、カウント値の最大は４となり、判定閾値を３とすれば、カウント値が最大の４となったタイミングを、受信フレームタイミングとし、この受信フレームタイミング出力信号をフレームカウンタ５３に入力する。
【０００７】
又入力データの同期パターン以外に同期パターンと同一のビットパターンが含まれている場合は、正規の受信フレームタイミング出力信号以外に、受信フレームタイミング出力信号が得られることがある。その為に、前述のフレームカウンタ５３により受信フレームタイミング出力信号をカウントし、所定数以上連続して、即ち、前方保護段数以上連続して受信フレームタイミング出力信号が得られたカウント内容となると、フレーム同期確立と判定してフレーム同期信号を出力する。又受信フレームタイミング出力信号が、所定数以上連続して得られない時、即ち、後方保護段数以上連続してフレーム同期パターンを検出できない時は、フレーム同期外れとする。
【０００８】
又従来のフレーム同期回路として、システムクロックと受信クロックとの位相が異なった時に、フレーム同期信号のタイミングをシステムクロックに対応して進め又は遅らせる制御を行うことにより、フレーム同期外れが発生しないように制御する構成が提案されている（例えば、特許文献１参照）。
【０００９】
又入力データとフレーム同期ビット発生回路からのフレーム同期ビットとを、例えば、図７に示すように、ビット対応に比較し、各ビット毎に、一致，不一致の連続性を判定して、フレーム同期確立かフレーム同期外れかを判定する構成も提案されている（例えば、特許文献２参照）。
【００１０】
【特許文献１】
特開平９−２７０７８３号公報
【特許文献２】
特開２００１−３３９３６０号公報
【００１１】
【発明が解決しようとする課題】
フレーム同期伝送システムに於ける受信装置は、符号間干渉を除く為に、波形等化を行ってデータ識別を行う構成を有する場合が一般的であり、その波形等化を行う手段として、デシジョンフィードバック型トランスバーサル・イコライザが比較的多く使用されている。このデシジョンフィードバック型トランスバーサル・イコライザは、波形等化されたデータ波形の識別判定を行った結果をフィードバックして、符号間干渉を抑圧するように波形等化を行うものである。
【００１２】
又前述のように、フェージングやマルチパス等により、それぞれタイミングが異なる先行波と主波と遅延波とを受信することになり、図７に示すデータ相関器による相関値が最大となるタイミングをフレーム同期タイミングとして、デシジョンフィードバック型トランスバーサル・イコライザのタイミングを制御することになる。しかし、主波に対する前述の相関値が最大となるとは限らず、又相関値が最大となる複数タイミングが発生する場合もある。このような場合、時間的に最初に相関値が最大となったタイミングをフレーム同期タイミングとする場合が一般的である。
【００１３】
しかし、先行波と主波と遅延波とに対応した前述の相関値がそれぞれ大きい場合、先行波に対応した相関値が、主波に対応した相関値より時間的に先に大きくなるから、そのタイミングをフレーム同期タイミングとし、このタイミングに従ってデシジョンフィードバック型トランスバーサル・イコライザに於ける波形等化を行うことになる。従って、先行波に対して波形等化処理を行い、主波に対しては干渉波と見做す処理が行われる。しかし、先行波や遅延波は、主波に比較して受信電力変動が大きい場合が一般的であるから、従来の例えば図６に示す比較器５２により得られる受信フレームタイミング出力信号のタイミングが安定とならない問題がある。
【００１４】
又デシジョンフィードバック型トランスバーサル・イコライザは、前述のように、判定タイミングに於ける波形に対して、それより先行する波形による干渉を主として抑圧するように、フィードバック制御によりタップ係数の制御を行うものであり、前述のように、先行波のタイミングにより波形等化処理を行う場合に、イコライザ能力を充分に利用できない問題がある。又従来は、このようなデシジョンフィードバック型トランスバーサル・イコライザとフレーム同期タイミングとを考慮したフレーム同期回路は提案されていない。
【００１５】
本発明は、フレーム同期検出を行った結果を用いて、デシジョンフィードバック型トランスバーサル・イコライザの波形等化能力を最大限に利用可能とすることを目的とする。
【００１６】
【課題を解決するための手段】
本発明のフレーム同期回路は、図１を参照して説明すると、デシジョンフィードバック型トランスバーサル・イコライザを備えた受信装置に於けるフレーム同期回路に於いて、現在のフレーム同期タイミングに対して±Ｎビットの範囲に於ける受信データと基準同期パターンとの相関を求めるデータ相関器１と、このデータ相関器１の相関出力信号と判定閾値とを比較する比較器２と、この比較器２の前記現在のフレーム同期タイミングに対して±Ｎビットの範囲に於ける出力信号を複数フレーム周期にわたって積分した積分値の最大値が単一の場合に、この最大値のタイミングを次のフレーム同期タイミングとし、複数の場合は時間的に早い方の最大値に対応するタイミングを次のフレーム同期タイミングとして、このフレーム同期タイミングの信号を基に、デシジョンフィードバック型トランスバーサル・イコライザに対する受信データの入力タイミングを制御する為の最適値選択回路４とを備えている。
【００１７】
又デシジョンフィードバック型トランスバーサル・イコライザを備えた受信装置に於けるフレーム同期回路であって、現在のフレーム同期タイミングに対して±Ｎビットの範囲に於ける受信データと基準同期パターンとの相関を求めるデータ相関器と、このデータ相関器の相関出力信号と判定閾値とを比較する比較器と、この比較器の前記現在のフレーム同期タイミングに対して±Ｎビットの範囲に於ける異なるタイミングの出力信号を、それぞれ複数フレーム周期にわたって移動平均値を求める複数の移動平均算出部と、この複数の移動平均算出部による移動平均値の最大値が単一の場合に該最大値に対応するタイミングを次のフレーム同期タイミングとし、複数の場合は時間的に早い方の最大値に対応するタイミングを次のフレーム同期タイミングとして、デシジョンフィードバック型トランスバーサル・イコライザへ入力データの入力タイミングを制御する為の最適値選択回路とを備えている。
【００１８】
又デシジョンフィードバック型トランスバーサル・イコライザを備えた受信装置に於けるフレーム同期回路であって、現在のフレーム同期タイミングに対して±Ｎビットの範囲に於ける受信データと基準同期パターンとの相関を求めるデータ相関器と、このデータ相関器の相関出力信号を前記現在のフレーム同期タイミングに対して±Ｎビットの範囲に於ける異なるタイミングについてそれぞれ積分する複数の積分器と、この複数の積分器による積分値の最大値が単一の場合に、この最大値に対応するタイミングを次のフレーム同期タイミングとし、複数の場合に、時間的に早い方の最大値に対応するタイミングを次のフレーム同期タイミングとして、デシジョンフィードバック型トランスバーサル・イコライザへ入力データの入力タイミングを制御する為の最適値選択回路とを備えている。
【００１９】
【発明の実施の形態】
図１は本発明の第１の実施の形態の説明図であり、１はデータ相関器、２は比較器、３はフレームカウンタ、４は最適値選択回路、５１  〜５５  はカウンタ、６はマスク回路を示し、データ相関器１は、例えば、図６に示すようにシフトレジスタと排他的論理和回路等を含む構成を有し、入力データ（復調した受信データ）と基準同期パターンとの相関を求める。そして、比較器２に於いて相関値と判定閾値とを比較し、判定閾値を超えた相関値を受信フレームタイミング出力信号とし、複数のカウンタ５１  〜５５  とマスク回路６とに入力する。
【００２０】
マスク回路６は、制御端子ｃｔに入力される最適値選択回路４からの制御信号に従って、比較器２からの受信フレームタイミング出力信号をフレームカウンタ３に入力し、制御信号によるタイミング以外の比較器２からの受信フレームタイミング出力信号をマスクするものである。又受信フレームタイミング出力信号を入力するカウンタ５１  〜５５  の個数は、現在のフレーム同期タイミングに対して±Ｎビットの範囲について、Ｎ＝２とした場合を示すもので、Ｎは任意の整数とすることができる。
【００２１】
又図示を省略しているデシジョンフィードバック型トランスバーサル・イコライザは、マルチパス等による主波に対して遅延する側に入る干渉に対しては等化能力が優れており、干渉波が主波に対して前に入る場合は、通常のトランスバーサル・イコライザと同等の特性を有するものである。そこで、本発明のフレーム同期回路は、このデシジョンフィードバック型トランスバーサル・イコライザの等化能力を最大とするような受信フレームタイミングを選択できる構成を有するものである。
【００２２】
即ち、前述の複数のカウンタ５１  〜５５  は、初期状態及び所定の期間毎にリセット信号によりリセットし、図示を省略したタイミング発生部から、現在のフレーム同期のタイミングに対して±Ｎビットの範囲内で、現在のフレーム同期タイミングをｔとすると、ｔ−ｎ，ｔ−（ｎ−１），ｔ，ｔ＋（ｎ−１），ｔ＋ｎのタイミング信号をそれぞれ入力し、比較器２からの受信フレームタイミング出力信号のタイミングと一致した場合にカウントアップする。従って、カウンタ５１  〜５５  のカウント内容は、タイミング信号ｔ−ｎ，ｔ−（ｎ−１），ｔ，ｔ＋（ｎ−１），ｔ＋ｎと一致したタイミングの受信フレームタイミング出力信号を所定期間にわたって積分した内容に相当することになる。
【００２３】
最適値選択回路４は、カウンタ５１  〜５５  のカウント内容を所定時間毎（所定フレーム数毎）に判定する。そして、カウンタ５１  〜５５  をリセット信号によりリセットする。例えば、カウンタ５１  〜５５  の中のカウンタ５３  のカウント内容が最大値を示す場合は、最適値選択回路４は、現在のフレーム同期のタイミングに相当するタイミング信号ｔのタイミングで、マスク回路６の制御端子ｃｔに、比較器２からの受信フレームタイミング信号を継続して通過させる制御信号を入力する。
【００２４】
この場合は現状を維持した状態となり、フレームカウンタ３は、マスク回路６を介して出力された受信フレームタイミング信号を継続してカウントする。このフレームカウンタ３は、従来の同様に、フレーム同期引込みに於いては、受信フレームタイミング出力信号を、継続して前方保護段数に相当する個数をカウントした時にフレーム同期確立を示すフレーム同期信号を出力する。又フレーム同期外れを検出する為の後方保護段数等について制御する構成は、既に知られている各種の構成を適用することができる。
【００２５】
又図示を省略した後段のデシジョンフィードバック型トランスバーサル・イコライザは、受信復調信号に対して等化処理を行うもので、その等化処理のタイミングを現在のフレーム同期タイミングにより行い、カウンタ５１  〜５５  のカウント内容が最大となるタイミングを、最適値選択回路４により判定して、次のフレーム同期タイミングとするものである。
【００２６】
又前述のタイミング信号のｔ−（ｎ−１），ｔ，ｔ＋（ｎ−１）に於いて、ｎ＝２として現在フレームタイミングを０とすると、−１，０，＋１のタイミング信号をカウントする３個のカウンタにより、それぞれのタイミングが一致した受信フレームタイミング出力信号をカウントする。その場合の最適値選択回路４の判定処理を、図２の（Ａ），（Ｂ）に示す。
【００２７】
例えば、図２の（Ａ）は、最大値が得られるカウンタが１個のみの場合を示し、タイミング信号０をカウントするカウンタのカウント内容が最大値を示す場合は、現在の状態（現在のフレーム同期タイミング）を維持し、タイミング信号−１をカウントするカウンタのカウント内容が最大値を示す場合は、現在位置（現在のフレーム同期タイミング）より１ビット進め、タイミング信号＋１をカウントするカウンタのカウント内容が最大値を示す場合は、現在位置より１ビット遅らせる判定を行う。このように、複数のカウンタの中の１個のカウンタのカウント内容が最大値となる場合は、その最大値に対応するタイミングを次のフレーム同期タイミングとして、デシジョンフィードバック型トランスバーサル・イコライザに於ける等化処理を行わせる。
【００２８】
又図２の（Ｂ）に示すように、同時に２個のカウンタのカウント内容が最大値を示す場合、例えば、タイミング信号−１とタイミング信号０とをカウントするカウンタのカウント内容が共に最大値となった場合は、現在より１ビット進め、又３個のカウンタのカウント内容が共に最大値となった場合、及びタイミング信号−１とタイミング信号＋１とをカウントするカウンタのカウント内容が共に最大値となった場合は、現在位置を維持し、又タイミング信号０とタイミング信号＋１とをカウントするカウンタのカウント内容が共に最大値となった場合は、現在位置より１ビット遅らせる。
【００２９】
従って、マルチパス等による複数の受信波に対して、主波又は主波＋遅延波に対応する受信フレームタイミング出力信号を次のフレーム同期タイミングとして選択し、このフレーム同期タイミングにより、デシジョンフィードバック型トランスバーサル・イコライザに於ける等化処理を行わせ、等化能力を最適化することができる。又最適値選択回路４により選択されたタイミング信号について、フレームカウンタ３によりフレーム同期確立を判定し、フレーム同期確立によるフレーム同期信号を、デシジョンフィードバック型トランスバーサル・イコライザに於ける等化処理のタイミングとすることができる。
【００３０】
図３は受信装置の要部説明図であり、１０はフレーム同期回路、１１は復調器（検波器）、１２は遅延可変器、１３はデシジョンフィードバック型トランスバーサル・イコライザを示す。復調器１１により復調した信号を遅延可変器１２とフレーム同期回路１０とに入力する。このフレーム同期回路１０は、例えば、図１に示す構成を有し、復調器１１による先行波，主波，遅延波に相当する復調信号の中の少なくとも主波又は遅延波の受信タイミングに対応するフレーム同期タイミングに従って遅延可変器１２を制御し、デシジョンフィードバック型トランスバーサル・イコライザ１３に於ける等化処理の最適タイミングとなるように、復調信号を入力することができる。
【００３１】
図４は本発明の第２の実施の形態の説明図であり、図１と同一符号は同一機能部分を示し、２１１  〜２１５  は移動平均算出部、２２は最適値選択回路、２３はセレクタ（ＳＥＬ）を示し、ｃｔはセレクタ２３の制御端子を示す。
【００３２】
移動平均算出部２１１  〜２１５  は、初期状態又は所定の周期でリセット信号によりリセットして、比較器２からの受信フレームタイミング出力信号とタイミング一致するタイミング信号ｔ−ｎ，ｔ−（ｎ−１），ｔ，ｔ＋（ｎ−１），ｔ＋ｎを所定の時間内毎に加算して複数フレーム周期にわたる時間平均を求める。
【００３３】
最適値選択回路２２は、時間平均算出部２１１  〜２１５  からの時間平均値の中の最大値を判定する。この場合、図１に示すカウンタ５１  〜５５  を用いた場合と同様に、最適値選択回路２２は、時間平均値の最大値に対応するタイミング信号をセレクタ２３によって選択出力するように、セレクタ２３の制御端子ｃｔに制御信号を入力する。セレクタ２３は、制御端子ｃｔに入力された制御信号に従ったタイミング信号ｔ−ｎ，ｔ−（ｎ−１），ｔ，ｔ＋（ｎ−１），ｔ＋ｎの中から１個を選択してフレームカウンタ３に入力する。
【００３４】
又複数の時間平均算出部による時間平均値が最大となった場合、図１及び図２について説明した場合と同様に、デシジョンフィードバック型トランスバーサル・イコライザに於ける等化能力が優れている主波に対して遅延する側に干渉波が入るタイミングとなるように、複数のタイミング信号ｔ−ｎ，ｔ−（ｎ−１），ｔ，ｔ＋（ｎ−１），ｔ＋ｎの中から１個のタイミング信号を選択するように、最適値選択回路２２によりセレクタ２３を制御する。
【００３５】
図５は本発明の第３の実施の形態の説明図であり、図１と同一符号は同一機能部分を示し、３１１  〜３１５  は積分器、３２は最適値選択回路、３３はセレクタ（ＳＥＬ）、ｃｔは制御端子を示す。データ相関器１は、入力データと基準同期パターンとのビット対応の相関を求めて、積分器３１１  〜３１５  に入力する。積分器３１１  〜３１５  を、初期状態及び所定期間毎にリセット信号によりリセットし、タイミング信号ｔ−ｎ，ｔ−（ｎ−１），ｔ，ｔ＋（ｎ−１），ｔ＋ｎのタイミングに於ける相関出力を積分する。
【００３６】
最適値選択回路３２は、積分器３１１  〜３１５  による積分出力の最大値を判定し、その最大値となった積分器対応のタイミング信号をセレクタ３３により選択するように制御端子ｃｔに制御信号を入力する。従って、最適値選択回路３２とセレクタ３３とは、図２に於ける最適値選択回路２２とセレクタ２３との機能と同様である。
【００３７】
そして、セレクタ３３から選択出力されたタイミング信号を受信フレームタイミング出力信号としてフレームカウンタ３に入力し、前方保護段数に相当するカウント内容になると、フレーム同期確立としてフレーム同期信号を出力する。なお、同期外れを判定する構成等は既に知られている構成を適用することができるから、図示を省略している。
【００３８】
又複数の積分器の積分出力が最大となる場合は、図１及び図２について説明した場合と同様に、デシジョンフィードバック型トランスバーサル・イコライザに於ける等化能力が優れている主波に対して遅延する側に干渉波が入るタイミングとなるように、最適値選択回路３２は、セレクタ３３を制御して、複数のタイミング信号ｔ−ｎ，ｔ−（ｎ−１），ｔ，ｔ＋（ｎ−１），ｔ＋ｎの中から１個のタイミング信号を選択し、そのタイミングを、次のフレーム同期タイミングとするものである。
【００３９】
従って、受信復調信号の等化処理を行うデシジョンフィードバック型トランスバーサルイコライザは、マルチパス等による複数の受信波に対して、等化能力に優れたタイミングに於いて等化処理を行うことになり、伝搬経路の環境が良くない状態に於いても、誤りの少ない受信処理が可能となる。
【００４０】
【発明の効果】
以上説明したように、本発明は、受信復調した入力データと基準同期パターンとの相関を求め、現在のフレーム同期タイミングに対して所定ビット範囲に於ける相関値の最大値を求め、相関値が最大となるタイミングを次のフレーム同期タイミングとして、デシジョンフィードバック型トランスバーサル・イコライザに於ける受信復調信号の等化処理を行わせるもので、所定のビット範囲内に於ける相関値の最大値が複数得られた時は、時間的に早いタイミングを次のフレーム同期タイミングとするように制御するもので、マルチパスによる受信波に対して、デシジョンフィードバック型トランスバーサル・イコライザの等化能力を最大限として、受信復調信号の等化処理を行うことができる利点がある。
【図面の簡単な説明】
【図１】本発明の第１の実施の形態の説明図である。
【図２】最適値選択の説明図である。
【図３】受信装置の説明図である。
【図４】本発明の第２の実施の形態の説明図である。
【図５】本発明の第３の実施の形態の説明図である。
【図６】従来のフレーム同期回路の要部説明図である。
【図７】データ相関器の説明図である。
【符号の説明】
１  データ相関器
２  比較器
３  フレームカウンタ
４  最適値選択回路
５１  〜５５    カウンタ
６  マスク回路
ｔ−ｎ，ｔ−（ｎ−１），ｔ，ｔ＋（ｎ−１），ｔ＋ｎ  タイミング信号
【図１】
2004289369.tif 000003
【図２】
2004289369.tif 000004
【図３】
2004289369.tif 000005
【図４】
2004289369.tif 000006
【図５】
2004289369.tif 000007
【図６】
2004289369.tif 000008
【図７】
2004289369.tif 000009